【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
複数の解像度レベルで画像が復号可能なように構成されている符号化データを取得する工程と、
復号解像度レベルを取得する工程と、
前記符号化データを用いて、前記復号解像度レベルで画像を復号する復号工程と、
前記復号工程で復号された画像を符号化する符号化工程と、
前記符号化データのうち前記復号解像度レベルで画像を復号する為に必要な部分の代わりに、前記符号化工程で符号化された画像を用いる為に参照する参照情報を作成する作成工程と、
前記符号化工程で符号化された画像、及び前記参照情報を、前記符号化データと共に管理する管理工程と
を備えることを特徴とする画像処理方法。
【請求項２】
前記管理工程では、前記符号化工程で符号化された画像と、前記符号化データと、前記参照情報と、を１つのファイルで管理することを特徴とする請求項１に記載の画像処理方法。
【請求項３】
前記作成工程では、前記符号化工程で符号化された画像の前記ファイルにおける所在情報、前記符号化データのうち前記復号解像度レベルで画像を復号する為に必要な部分以外の部分の前記ファイルにおける所在情報を、この順に登録したテーブルを前記参照情報として作成することを特徴とする請求項２に記載の画像処理方法。
【請求項４】
前記復号工程、前記符号化工程、前記作成工程による処理は、前記復号解像度レベルの画像サイズを有する画像が、前記符号化データと共に管理されていない場合に行う処理であることを特徴とする請求項１に記載の画像処理方法。
【請求項５】
更に、前記復号解像度レベルの画像サイズを有する画像が、既に前記符号化データと共に管理されている場合には、当該画像を復号して出力する工程を備えることを特徴とする請求項１に記載の画像処理方法。
【請求項６】
複数の解像度レベルで画像が復号可能なように構成されている符号化データを取得する工程と、
復号解像度レベルを取得する工程と、
前記符号化データにおいて最も低い解像度レベルの画像を復号する復号工程と、
前記復号解像度レベルの画像サイズから前記最も低い解像度レベルの画像サイズまでの間の画像サイズの画像が再現可能なように、前記復号工程で復号した画像を符号化する符号化工程と、
前記最も低い解像度レベルの画像の代わりに、前記符号化工程で符号化された画像を用いる為に参照する参照情報を作成する作成工程と、
前記符号化工程で符号化された画像、及び前記参照情報を、前記符号化データと共に管理する管理工程と
を備えることを特徴とする画像処理方法。
【請求項７】
前記符号化データが再現可能な最小の画像サイズ、及び前記符号化データと共に既に前記管理工程で管理されている画像のサイズのうち最も小さいサイズと、前記復号解像度レベルの画像サイズとの大小関係に基づいて、請求項１乃至５に記載の画像処理方法、請求項６に記載の画像処理方法の何れかを実行することを特徴とする画像処理方法。
【請求項８】
複数の解像度レベルで画像が復号可能なように構成されている符号化データを取得する手段と、
復号解像度レベルを取得する手段と、
前記符号化データを用いて、前記復号解像度レベルで画像を復号する復号手段と、
前記復号手段によって復号された画像を符号化する符号化手段と、
前記符号化データのうち前記復号解像度レベルで画像を復号する為に必要な部分の代わりに、前記符号化手段によって符号化された画像を用いる為に参照する参照情報を作成する作成手段と、
前記符号化手段によって符号化された画像、及び前記参照情報を、前記符号化データと共に管理する管理手段と
を備えることを特徴とする画像処理装置。
【請求項９】
複数の解像度レベルで画像が復号可能なように構成されている符号化データを取得する手段と、
復号解像度レベルを取得する手段と、
前記符号化データにおいて最も低い解像度レベルの画像を復号する復号手段と、
前記復号解像度レベルの画像サイズから前記最も低い解像度レベルの画像サイズまでの間の画像サイズの画像が再現可能なように、前記復号手段によって復号した画像を符号化する符号化手段と、
前記最も低い解像度レベルの画像の代わりに、前記符号化手段によって符号化された画像を用いる為に参照する参照情報を作成する作成手段と、
前記符号化手段によって符号化された画像、及び前記参照情報を、前記符号化データと共に管理する管理手段と
を備えることを特徴とする画像処理装置。
【請求項１０】
コンピュータに請求項１乃至７の何れか１項に記載の画像処理方法を実行させる為のプログラム。
【請求項１１】
請求項１０に記載のプログラムを格納した、コンピュータ読み取り可能な記憶媒体。
【手続補正２】
【補正対象書類名】明細書
【補正対象項目名】００１８
【補正方法】変更
【補正の内容】
【００１８】
即ち、複数の解像度レベルで画像が復号可能なように構成されている符号化データを取得する工程と、
復号解像度レベルを取得する工程と、
前記符号化データを用いて、前記復号解像度レベルで画像を復号する復号工程と、
前記復号工程で復号された画像を符号化する符号化工程と、
前記符号化データのうち前記復号解像度レベルで画像を復号する為に必要な部分の代わりに、前記符号化工程で符号化された画像を用いる為に参照する参照情報を作成する作成工程と、
前記符号化工程で符号化された画像、及び前記参照情報を、前記符号化データと共に管理する管理工程と
を備えることを特徴とする。
【手続補正３】
【補正対象書類名】明細書
【補正対象項目名】００２０
【補正方法】変更
【補正の内容】
【００２０】
即ち、複数の解像度レベルで画像が復号可能なように構成されている符号化データを取得する工程と、
復号解像度レベルを取得する工程と、
前記符号化データにおいて最も低い解像度レベルの画像を復号する復号工程と、
前記復号解像度レベルの画像サイズから前記最も低い解像度レベルの画像サイズまでの間の画像サイズの画像が再現可能なように、前記復号工程で復号した画像を符号化する符号化工程と、
前記最も低い解像度レベルの画像の代わりに、前記符号化工程で符号化された画像を用いる為に参照する参照情報を作成する作成工程と、
前記符号化工程で符号化された画像、及び前記参照情報を、前記符号化データと共に管理する管理工程と
を備えることを特徴とする。
【手続補正４】
【補正対象書類名】明細書
【補正対象項目名】００２２
【補正方法】変更
【補正の内容】
【００２２】
即ち、複数の解像度レベルで画像が復号可能なように構成されている符号化データを取得する手段と、
復号解像度レベルを取得する手段と、
前記符号化データを用いて、前記復号解像度レベルで画像を復号する復号手段と、
前記復号手段によって復号された画像を符号化する符号化手段と、
前記符号化データのうち前記復号解像度レベルで画像を復号する為に必要な部分の代わりに、前記符号化手段によって符号化された画像を用いる為に参照する参照情報を作成する作成手段と、
前記符号化手段によって符号化された画像、及び前記参照情報を、前記符号化データと共に管理する管理手段と
を備えることを特徴とする。
【手続補正５】
【補正対象書類名】明細書
【補正対象項目名】００２４
【補正方法】変更
【補正の内容】
【００２４】
即ち、複数の解像度レベルで画像が復号可能なように構成されている符号化データを取得する手段と、
復号解像度レベルを取得する手段と、
前記符号化データにおいて最も低い解像度レベルの画像を復号する復号手段と、
前記復号解像度レベルの画像サイズから前記最も低い解像度レベルの画像サイズまでの間の画像サイズの画像が再現可能なように、前記復号手段によって復号した画像を符号化する符号化手段と、
前記最も低い解像度レベルの画像の代わりに、前記符号化手段によって符号化された画像を用いる為に参照する参照情報を作成する作成手段と、
前記符号化手段によって符号化された画像、及び前記参照情報を、前記符号化データと共に管理する管理手段と
を備えることを特徴とする。